(57)【特許請求の範囲】
【請求項１】
筐体内に設けた燃焼器への燃焼用空気を、筐体の前面に設けた空気取入口から取り入れ、筐体の前面に設けた該燃焼器と直結する排気口から燃焼排気を排出させる外置型燃焼機において、前記空気取入口として、排気口に接近した位置に開口する第１空気取入口と、排気口から離れた位置に開口する第２空気取入口とを設け、第１空気取入口から筐体内にかかる風圧が第２空気取入口にかかる風圧より高まったとき閉じる第２空気取入口を閉じるダンパを設けたことを特徴とする外置型燃焼機。
【発明の詳細な説明】
【０００１】
【発明の属する技術分野】
本発明は、給湯機や室内に設置した暖房機等に熱を供給する熱源機として機能する外置型燃焼機に関する。
【０００２】
【従来の技術】
強風等によって排気口にかかる風圧が空気取入口にかかる風圧より高まると、耐風速性能の低い外置型燃焼機では、排気が疎外されこれに伴って燃焼機への燃焼用空気の供給が不十分となって不完全燃焼を生じたり、燃焼が中断したりする。
そこで、従来排気口と燃焼機とを接続する排気通路を工夫して排気口に高い風圧がかかっても、排気が疎外されないようにして耐風速性能を高めた外置型燃焼機は知られている。
【０００３】
【発明が解決しようとする課題】
しかしこのものは、排気通路の構造が複雑となり、排気通路で結露したり、煤が付着し易くなったり、燃焼用送風機が大きなものになるといった不具合がある。
本発明はかかる現状に鑑み、給気側を工夫することで簡単に耐風速性能を向上させ得る外置型燃焼機を提供することを課題とする。
【０００４】
【課題を達成するための手段】
本願の請求項１に記載の外置型燃焼機は、筐体内に設けた燃焼器への燃焼用空気を、筐体の前面に設けた空気取入口から取り入れ、筐体の前面に設けた該燃焼器と直結する排気口から燃焼排気を排出させる外置型燃焼機において、前記空気取入口として、排気口に接近した位置に開口する第１空気取入口と、排気口から離れた位置に開口する第２空気取入口とを設け、第１空気取入口から筐体内にかかる風圧が第２空気取入口にかかる風圧より高まったとき第２空気取入口を閉じるダンパを設けたことで、通常は、排気口から離れた位置に開口する第２空気取入口から燃焼用空気が取り入れられて燃焼する。したがって、排気口から排出する排気が給気に混じらない。
また、強風等で排気口とこれに接近する第１空気取入口に高い風圧がかかったとき、該風圧で第２空気取入口に臨むダンパを閉じて、第１空気取入口にかかる風圧を燃焼器の給気口にかけることができる。
【０００５】
【実施の形態】
本発明実施の形態の一例を別紙図面に付き説明する。
図面１は筐体２内に設けた燃焼器、３は筐体２の前面に設けた燃焼器１に直結する排気口、４は筐体２の前面に設けた該筐体２内に空気を取り入れる空気取入口を示す。
【０００６】
燃焼器１は、図２、図３に示すごとく、灯油を燃焼させるポットバーナ１ａと、該ポットバーナ１ａの周囲に設けた空気室１ｂと、ポットバーナ１ａの上部に連なる燃焼室１ｃと、該燃焼室１ｃの上部に臨む熱交換器１ｄと、前記排気口３に直結する排気通路１ｅとを備え、空気取入口４から取り入れられる給気は、燃焼器１の下部に設けた送風機５の給気口５ａから吸引され該空気室１ｂを介して強制的にポットバーナ１ａに供給される。なお、上記熱交換器１ｄは、室内に設けた暖房機（図示しない）との間に温水を循環させる気液熱交換型とした。
【０００７】
上記排気口３は筐体２の前面上部に設け、空気取入口４として、排気口３に接近した位置である排気口３の直下に開口させた第１空気取入口４ａと、排気口３から離反した位置である筐体２の前面下部に開口させて第２空気取入口４ｂとを設けた。なお、該第２空気取入口４ｂは左右に３連に分けて設けた。
【０００８】
６は第２空気取入口４ｂに臨ませた、第１空気取入口４ａから筐体２内にかかる風圧が第２空気取入口４ｂにかかる風圧（第２空気取入口４ｂの前面に例えば障害物Ａがあり第２空気取入口４ｂの前面は風圧が弱くなった状態）より高まったとき（例えば１０ｍ／ｓ以上の風が吹いたとき生じる風圧）閉じるダンパを示し、該ダンパ６は、折れ線に沿って「くの字」状に折り曲げたポリエステル製の薄板で構成し、その一側面を筐体２の内面に固定して、他側面を第２空気取入口４ｂの内側面と間隔を存した状態に対向させ、前述するごとく、第１空気取入口４の高い風圧が作用したとき、該風圧に押されて第２空気取入口４ｂを閉じるようにした。なお、該薄板は３連の第２空気取入口４ｂを全て覆い得る１枚としても良いが、各第２空気取入口４ｂ毎にこれを覆い得る３枚に分けることで可動特性を良くすることができる。
かくするときは、通常の燃焼時は、排気口３から離れた位置に開口する第２空気取入口４ｂから主として燃焼用空気を取り入れて燃焼器１で燃焼する。したがって、排気口３から排出する排気が給気に混じり燃焼不良を起こす等の不具合を起こすことがない。
【０００９】
また、強風等によって第２空気取入口４ｂにかかる風圧に比し高い風圧が排気口３並びに第１空気取入口４ａにかかる場合は、該風圧がダンパ６に作用して第２空気取入口４ｂを閉じる。このため第１空気取入口４ａにかかる高い風圧が第２空気取入口４ｂから筐体２外に逃げることなく送風機５の給気口５ａにかかる。このため送風機５によって燃焼用空気を燃焼機１に供給するものでは、送風機の送風能力が落ちることもなく、したがって耐風速性能は向上する。
【００１０】
なお、図２において、７は灯油の液面高さを一定に保つ定液面器、８は該定液面器７から灯油を汲み上げてポットバーナ１ａに供給する電磁ポンプ、９は熱交換器１ｄと暖房機とを接続する循環路１０に介在させた温水タンク、１１は循環路１０に介在させた循環ポンプを示す。
【００１１】
なお、上述するものは、送風機５によって燃焼用空気を燃焼機１に強制的に給気するものを示したが、これは自然通気によって供給するものでも良い。
更に、前記燃焼機１は、灯油を燃焼する式のバーナを備えるものに付き説明したが、ガスバーナを備える式の燃焼機１であっても良い。なお、１２は防水板を示し、防水板１２は第１空気取入口４ａから雨水が入り込んだ場合、燃焼器１（特に電装品）に雨水がかからないように第１空気取入口４ａの内方に第１空気取入口４ａに相対して設けられ、該防水板１２に受止められた雨水は該防水板１２に案内されて燃焼機１の側方から燃焼器１側に排出される。
【００１２】
【発明の効果】
本願の請求項１に記載の発明によるときは、通常は、排気口から離れた位置に開口する第２空気取入口から燃焼用空気が取り入れられて燃焼する。したがって、排気口から排出する排気が給気に混じるといった不具合を解消できる。また、強風等によって第２空気取入口にかかる風圧に比し、高い風圧が排気口並びに第１空気取入口にかかる場合は、該風圧がダンパに作用して第２空気取入口を閉じ、第１空気取入口に作用する高い風圧が第２空気取入口から筐体外に逃がすことなく燃焼器の給気口にかけることができて、外置型燃焼機の耐風速性能を高めることができる。
【図面の簡単な説明】
【図１】  本発明の実施の形態を説明する斜視図
【図２】  図１の筐体の一部を切除した斜視図
【図３】  外置型燃焼機の給排気を説明する説明図
【符号の説明】
１  燃焼器            ２  筐体          ３  排気口
４  空気取入口        ５  送風機        ６  ダンパ
【図１】
0003647694.tif 000002
【図２】
0003647694.tif 000003
【図３】
0003647694.tif 000004